(57)【要約】【課題】電力系統監視システムの信頼性を向上させる。【解決手段】電力系統監視システムは、機器の状態を示す系統表示情報を外部に出力する系統表示情報出力手段１３を備えた計算機と、系統監視盤と、系統監視盤が故障したときに系統表示情報を表示する予備表示装置とを有する。計算機は、系統情報用表示部が故障したときの故障パターンが格納された故障パターンファイル格納部１６と、故障した系統監視盤３０、４０の故障パターンを選択する故障状態選択手段１４と、選択された故障状態情報を格納する故障情報ファイル格納部１５と、各故障パターンに対応する出力先情報が格納されたスイッチングシナリオ設定ファイル格納部１８とを有する。系統表示情報出力手段１３は、故障パターンに基づいて出力先情報を取得して、故障した系統監視盤３０が表示していた系統表示情報を取得した系統情報出力先に出力する手段を含む。【選択図】図１
2010220441.tif 000002
【特許請求の範囲】
【請求項１】
電力系統内の複数の機器の状態を示す状態信号を含む系統情報を外部出力可能な系統表示情報に変換する手段とこの系統表示情報を外部に出力する系統表示情報出力手段とを備えた監視制御用計算機と、前記監視制御用計算機と互いに通信可能に構成されて前記系統表示情報を表示する複数の系統情報用表示部と、前記監視制御用計算機と互いに通信可能に構成されて前記複数の系統情報用表示部のうち少なくとも１つが故障したときに故障した前記系統情報用表示部が表示する前記系統表示情報を表示可能な少なくとも１つの予備表示部と、を有する電力系統監視システムにおいて、
前記複数の系統情報用表示部および前記予備表示部は、共通の１つの室内に配置されて、
前記監視制御用計算機は、
前記複数の系統情報用表示部のうち少なくとも１つが故障したときの故障状態は複数のパターンを含み、これらの複数パターンの故障状態の情報を含む故障状態情報が格納された故障パターンファイル格納部と、
故障した前記系統情報用表示部を特定する情報を含む故障表示部情報が入力されて、入力された前記故障表示部情報に基づいて前記故障状態のパターンを前記故障状態情報から選択する故障状態選択手段と、
選択された前記故障状態情報を格納する故障情報ファイル格納部と、
それぞれが少なくとも前記系統情報用表示部および予備表示部からなる系統情報出力先を示す情報を含み、それぞれが前記故障状態の各パターンそれぞれに対応する複数の出力先情報が格納されたスイッチングシナリオ設定ファイル格納部と、
を有し、
前記系統表示情報出力手段は、前記故障情報ファイル格納部から取得した前記故障状態情報に基づいて前記スイッチングシナリオ設定ファイル格納部から前記出力先情報を取得して、故障した前記系統情報用表示部が表示していた前記系統表示情報を取得した前記出力先情報に含まれる前記系統情報出力先に出力する手段を含むこと、
を特徴とする電力系統監視システム。
【請求項２】
前記予備表示部は、前記監視制御用計算機の操作端末の表示部であることを特徴とする請求項１に記載の電力系統監視システム。
【請求項３】
前記故障状態選択手段は、選択した前記故障状態情報に基づいて前記監視制御用計算機の外部に故障状態を通知する手段を含むこと、を特徴とする請求項１または請求項２に記載の電力系統監視システム。
【請求項４】
所定の時間間隔で、前記系統表示情報出力手段から出力される前記系統表示情報を、前記系統情報用表示部で表示される表示画面に基づいた表示画像ファイルに変換して取り込むように構成された画像取込装置と、
前記室内に配置されて、前記画像取込装置で取り込まれた表示画像ファイルを紙出力する紙出力装置と、
を有することを特徴とする請求項１ないし請求項３のいずれか一項に記載の電力系統監視システム。
【請求項５】
前記監視制御用計算機は、前記スイッチングシナリオ設定ファイル格納部に格納された出力先情報を書換え可能に構成されたスイッチングシナリオ作成手段を有することを特徴とする請求項１ないし請求項４のいずれか一項に記載の電力系統監視システム。
【請求項６】
電力系統内の複数の機器の状態を示す状態信号を含む系統情報を外部出力可能な系統表示情報に変換する手段とこの系統表示情報を外部に出力する手段とを備えた監視制御用計算機と、前記系統表示情報を表示する複数の系統情報用表示部と、前記系統情報表示部と共通の１つの室内に配置されて前記複数の系統情報用表示部のうち少なくとも１つが故障したときに故障した前記系統情報用表示部が表示する前記系統表示情報を表示可能な少なくとも１つの予備表示部と、を有する電力系統監視システムを用いた電力系統監視方法において、
前記複数の系統情報用表示部のうち少なくとも１つが故障したときの故障状態は複数のパターンを含み、前記監視制御用計算機が前記複数パターンの故障状態を含む故障状態情報を格納する故障パターンファイル格納工程と、
前記複数の系統情報用表示部および前記予備表示部からなる系統情報出力先を含み、前記監視制御用計算機が前記故障状態の各パターンそれぞれに対応する複数の出力先情報を格納する出力先情報格納工程と、
前記複数の系統情報用表示部のうち少なくとも１つが故障したときに、前記監視制御用計算機が前記故障を検知する故障検知工程と、
前記故障検知工程の後に、前記監視制御用計算機が少なくとも故障している前記系統情報用表示部を特定する故障部位特定工程と、
前記故障部位特定工程の後に、前記監視制御用計算機が、故障した前記系統情報用表示部を特定する情報に基づいて前記故障状態のパターンを前記故障状態情報から選択する故障状態選択工程と、
前記故障状態選択工程の後に、前記監視制御用計算機が、選択した前記故障状態情報に基づいて前記出力先情報を取得して、取得した前記出力先情報に基づいて前記系統情報出力先を指定する出力先指定工程と、
前記出力先指定工程の後に、前記監視制御用計算機が、故障した前記系統情報用表示部が表示していた前記系統表示情報を指定した前記系統情報出力先に出力する出力工程と、
を有することを特徴とする電力系統監視方法。
【発明の詳細な説明】
【技術分野】
【０００１】
本発明は、複数の機器を有する電力系統を監視する電力系統監視システムおよびこのシステムを用いた電力系統監視方法に関する。
【背景技術】
【０００２】
電力系統内の複数の機器の稼動状態などを監視する電力系統監視システムは、一般的に、機器類から得られる系統情報を表示する系統監視盤を有している。この系統監視盤は、複数の大画面の表示部を有しており、１つの指令室内に並んで配置されている。これら複数の表示部によって電力系統の少なくとも一部を監視している。
【０００３】
複数の表示部を用いてプラントなどの大規模施設を監視する監視システムは、例えば特許文献１に開示されているように、マルチスクリーンを用いた監視制御システムなどが知られている。
【０００４】
電力系統監視システムは、一般に、指令室に隣接した予備室が設けられている。この予備室は、オペレータの教育のための訓練室として使用されることが多い。この訓練室は、オペレータの訓練用の設備が配置されているほか、指令室とほぼ同じ系統監視盤も配置されている。
【０００５】
指令室に設置した系統監視盤を構成する表示部のうち何れかが故障したときには、訓練室の系統監視盤で系統情報を表示して、電力系統の監視を行うことができるものがある。これは、訓練室に設置した系統監視盤の表示部で系統情報の表示をバックアップ可能に構成されたものである。
【先行技術文献】
【特許文献】
【０００６】
【特許文献１】特開２００５−１４１６１７号公報
【発明の概要】
【発明が解決しようとする課題】
【０００７】
ところが、訓練室に系統情報の表示機能のバックアップが設けられた系統監視盤システムでは、指令室の系統監視盤が故障したときには、訓練室の系統監視盤のみでの運用となり、系統監視盤の冗長化構成の確保が困難になることがある。引き続き訓練室の系統監視盤に故障が発生した場合には、訓練室の系統監視盤によるバックアップが困難になり、信頼性が低下した状態で運転することがある。
【０００８】
また、指令室の系統監視盤が故障したときには、指令室で運用を行っていたオペレータが訓練室に移動する必要がある。そのため、移動している間、電力系統の運用に支障がある可能性もある。
【０００９】
また、監視システムの更新工事のときには、旧システムおよび新システムが併用運転されることがある。このとき、指令室において旧システムの系統監視盤での運用がされている間、新システムの系統監視盤を設置するスペースがなく、新システムは訓練室に系統監視盤を設置して運転することになる。この場合においても系統監視盤の冗長構成の確保が困難になり、信頼性が低い状態で運転することになる。
【００１０】
また、系統監視盤の表示部全てが故障したときには、故障している間の系統表示情報は、指令室内では、どこにも表示されない。このため、電力供給に支障をきたす可能性がある。
【００１１】
本発明は上記課題を解決するためになされたものであって、その目的は、電力系統を監視する電力系統監視システムの信頼性を向上させることである。
【課題を解決するための手段】
【００１２】
上記目的を達成するため本発明に係る電力系統監視システムは、電力系統内の複数の機器の状態を示す状態信号を含む系統情報を外部出力可能な系統表示情報に変換する手段とこの系統表示情報を外部に出力する系統表示情報出力手段とを備えた監視制御用計算機と、前記監視制御用計算機と互いに通信可能に構成されて前記系統表示情報を表示する複数の系統情報用表示部と、前記監視制御用計算機と互いに通信可能に構成されて前記複数の系統情報用表示部のうち少なくとも１つが故障したときに故障した前記系統情報用表示部が表示する前記系統表示情報を表示可能な少なくとも１つの予備表示部と、を有する電力系統監視システムにおいて、前記複数の系統情報用表示部および前記予備表示部は、共通の１つの室内に配置されて、前記監視制御用計算機は、前記複数の系統情報用表示部のうち少なくとも１つが故障したときの故障状態は複数のパターンを含み、これらの複数パターンの故障状態の情報を含む故障状態情報が格納された故障パターンファイル格納部と、故障した前記系統情報用表示部を特定する情報を含む故障表示部情報が入力されて、入力された前記故障表示部情報に基づいて前記故障状態のパターンを前記故障状態情報から選択する故障状態選択手段と、選択された前記故障状態情報を格納する故障情報ファイル格納部と、それぞれが少なくとも前記系統情報用表示部および予備表示部からなる系統情報出力先を示す情報を含み、それぞれが前記故障状態の各パターンそれぞれに対応する複数の出力先情報が格納されたスイッチングシナリオ設定ファイル格納部と、を有し、前記系統表示情報出力手段は、前記故障情報ファイル格納部から取得した前記故障状態情報に基づいて前記スイッチングシナリオ設定ファイル格納部から前記出力先情報を取得して、故障した前記系統情報用表示部が表示していた前記系統表示情報を取得した前記出力先情報に含まれる前記系統情報出力先に出力する手段を含むこと、を特徴とする。
【００１３】
また、本発明に係る電力系統監視方法は、電力系統内の複数の機器の状態を示す状態信号を含む系統情報を外部出力可能な系統表示情報に変換する手段とこの系統表示情報を外部に出力する手段とを備えた監視制御用計算機と、前記系統表示情報を表示する複数の系統情報用表示部と、前記系統情報表示部と共通の１つの室内に配置されて前記複数の系統情報用表示部のうち少なくとも１つが故障したときに故障した前記系統情報用表示部が表示する前記系統表示情報を表示可能な少なくとも１つの予備表示部と、を有する電力系統監視システムを用いた電力系統監視方法において、前記複数の系統情報用表示部のうち少なくとも１つが故障したときの故障状態は複数のパターンを含み、前記監視制御用計算機が前記複数パターンの故障状態を含む故障状態情報を格納する故障パターンファイル格納工程と、前記複数の系統情報用表示部および前記予備表示部からなる系統情報出力先を含み、前記監視制御用計算機が前記故障状態の各パターンそれぞれに対応する複数の出力先情報を格納する出力先情報格納工程と、前記複数の系統情報用表示部のうち少なくとも１つが故障したときに、前記監視制御用計算機が前記故障を検知する故障検知工程と、前記故障検知工程の後に、前記監視制御用計算機が少なくとも故障している前記系統情報用表示部を特定する故障部位特定工程と、前記故障部位特定工程の後に、前記監視制御用計算機が、故障した前記系統情報用表示部を特定する情報に基づいて前記故障状態のパターンを前記故障状態情報から選択する故障状態選択工程と、前記故障状態選択工程の後に、前記監視制御用計算機が、選択した前記故障状態情報に基づいて前記出力先情報を取得して、取得した前記出力先情報に基づいて前記系統情報出力先を指定する出力先指定工程と、前記出力先指定工程の後に、前記監視制御用計算機が、故障した前記系統情報用表示部が表示していた前記系統表示情報を指定した前記系統情報出力先に出力する出力工程と、を有することを特徴とする。
【発明の効果】
【００１４】
本発明によれば、電力系統を監視する監視システムの信頼性を向上させることが可能になる。
【図面の簡単な説明】
【００１５】
【図１】本発明に係る第１の実施形態の電力系統監視システムの構成を示すブロック図である。
【図２】図１の故障パターンファイル格納部に格納された故障状態情報の構成図である。
【図３】図１のスイッチングシナリオ設定ファイル格納部に格納された出力先情報の構成図である。
【図４】本発明に係る第２の実施形態の電力系統監視システムの構成を示すブロック図である。
【図５】図４の携帯通信用端末へ送信するための故障時連絡先情報の構成図である。
【図６】本発明に係る第３の実施形態の電力系統監視システムの構成を示すブロック図である。
【図７】本発明に係る第４の実施形態の電力系統監視システムの構成を示すブロック図である。
【発明を実施するための形態】
【００１６】
以下、本発明に係る通信装置の実施形態について、図面を参照して説明する。
【００１７】
［第１の実施形態］
本発明に係る通信装置の第１の実施形態について、図１〜図３を用いて説明する。図１は、本実施形態の電力系統監視システムの構成を示すブロック図である。図２は、図１の故障パターンファイル格納部１６に格納された故障状態情報の構成図である。図３は、図１のスイッチングシナリオ設定ファイル格納部１９に格納された出力先情報の構成図である。
【００１８】
本実施形態の電力系統監視システムは、電力系統（図示せず）内の複数の機器（図示せず）の状態を示す状態信号などを含む系統情報に基づいて、電力系統の監視を行うシステムである。ここで、系統情報は、電力系統内に配置された例えば開閉装置の開閉状態などを示す状態信号のほかに、各機器に流れる電流値などのプロセス信号を含んでいる。
【００１９】
このシステムは、指令室３内に配置された指令室用系統監視盤３０で電力系統の少なくとも一部を監視している。
【００２０】
また、このシステムは、指令室３に隣接する訓練室４内に配置された訓練室用系統監視盤４０を有している。この訓練室用系統監視盤４０は、指令室用系統監視盤３０と同じ系統情報を表示することが可能で、指令室用系統監視盤３０の表示機能をバックアップする装置として用いることができる。
【００２１】
本実施形態の電力系統監視システムは、監視に伴う複数の手段を備えた監視制御用計算機１を有している。この監視制御用計算機１は、指令室用系統監視盤３０および訓練室用系統監視盤４０それぞれとローカルエリアネットワーク（以下、ＬＡＮと称す。）８０を介して通信可能に接続されている。
【００２２】
また、このシステムは、指令室３内に配置された指令室用予備表示装置３５と、訓練室４内に配置された訓練室用予備表示装置４５を有している。これらの予備表示装置３５、４５それぞれは、監視制御用計算機１とＬＡＮ８０を介して通信可能に接続されている。
【００２３】
監視制御用計算機１は、系統情報が入力される系統情報入力手段１１と、系統情報をディスプレイなどの表示手段で表示可能な系統表示情報に変換する系統表示情報作成手段１２と、系統表示情報を監視制御用計算機１の外部に出力する系統表示情報出力手段１３と、を有する。系統情報は、電力系統内の各機器と通信可能な情報伝送装置８１によって系統情報入力手段１１に入力される。
【００２４】
指令室用系統監視盤３０は、４つの系統情報用表示部、すなわち、第１系統情報用表示部３１、第２系統情報用表示部３２、第３系統情報用表示部３３、および第４系統情報用表示部３４を有している。これらの第１〜第４系統情報用表示部３１〜３４は、系統表示情報出力手段１３から出力される系統表示情報を表示することができる。
【００２５】
これらの第１〜第４系統情報用表示部３１〜３４それぞれは、長手方向が水平な長方形の表示画面を備えている。それぞれの表示画面は、詳細な図示は省略するが、長方形の対角距離が５０〜６０インチ程度で、例えばリアプロジェクションタイプのディスプレイである。これらの第１〜第４系統情報用表示部３１〜３４は、上下左右２個ずつ並んで配置されて、１つの長方形の画面を構成するように形成されている。隣接する系統情報用表示部に跨って表示される系統表示情報をより見やすいものにするために、表示画面の外枠部はできるだけ小さいほうが好ましい。
【００２６】
同様に、訓練室用系統監視盤４０は、第５系統情報用表示部４１、第６系統情報用表示部４２、第７系統情報用表示部４３、および第８系統情報用表示部４４を有している。これら第５〜第８系統情報用表示部４１〜４４それぞれは、指令室用系統監視盤３０の第１〜第４系統情報用表示部３１〜３４と同等の機能を有している。
【００２７】
指令室用予備表示装置３５は、指令室３内に配置されている。また、指令室用予備表示装置３５は、第１〜第４系統情報用表示部３１〜３４のうち少なくとも１つが故障したときに、故障した系統情報用表示部が表示する系統表示情報を表示可能な予備表示部（図示せず）を有している。この予備表示部は、書類作成などに用いるコンピュータ端末などの表示部であって、通常は指令室用系統監視盤３０で表示している系統表示情報とは、直接的に関連しない情報を表示しているものである。
【００２８】
この予備表示部は、１つの画面内に、第１〜第４系統情報用表示部３１〜３４全ての表示情報を同時に表示することができる。すなわち、第１〜第４系統情報用表示部３１〜３４全てを合わせた解像度と同等以上の解像度を有している。したがって、第１〜第４系統情報用表示部３１〜３４の全てが故障した場合でも、電力系統の監視を継続することが可能である。
【００２９】
訓練室４には、訓練室用予備表示装置４５が配置されている。この訓練室用予備表示装置４５は、指令室用予備表示装置３５と同等の機能を有している。
【００３０】
また、コンソール、すなわち監視制御用計算機１の端末を、指令室用予備表示装置３５として用いることも可能である。すなわち、当該端末の表示部を予備表示部として用いることができる。ここでコンソールとは、ディスプレイなどの表示部およびキーボードなどの入力部で構成されて、監視制御用計算機１本体の管理用として直接接続して使用する入出力装置である。本実施形態では、指令室３および訓練室４それぞれに、指令室用コンソール３７および訓練室用コンソール４７が配置されている。
【００３１】
監視制御用計算機１は、上記の各手段１１、１２、１３のほかに、故障パターンファイル格納部１６と、故障状態選択手段１４と、故障情報ファイル格納部１５と、スイッチングシナリオ設定ファイル格納部１９と、スイッチングシナリオ作成手段１８を有する。
【００３２】
指令室用系統監視盤３０の第１〜第４系統情報用表示部３１〜３４のうち少なくとも１つが故障したときの故障状態は、複数のパターンを含んでいる。図２の表は、第１〜第８系統情報用表示部３１〜３４、４１〜４４それぞれが故障するパターンについて示した故障状態情報の構成を示している。
【００３３】
図２に示す表において、左側の縦方向に配列された０〜２５５の数値は、第１〜第８系統情報用表示部３１〜３４、４１〜４４の故障パターンを識別するための故障パターン番号を示す数値である。最上段には、第１〜第８系統情報用表示部３１〜３４、４１〜４４を記載している。故障パターン番号以外の数値は、「０」は正常、「１」は故障を示している。例えば故障パターン番号が「０」のときは、第１〜第８系統情報用表示部３１〜３４、４１〜４４は全て正常であることを示している。故障パターン番号が「１」のときは、第１系統情報用表示部３１のみが故障していることを示している。故障パターンファイル格納部１６は、上記の故障状態情報が格納されている。
【００３４】
故障状態選択手段１４は、第１〜第８系統情報用表示部３１〜３４、４１〜４４のうちどの表示部が故障しているかを特定し、この故障した表示部を特定する情報が入力される機能を有している。さらに、故障状態選択手段１４は、入力された情報に基づいて、故障状態のパターンを図２の故障状態情報の中から選択する機能を有する。
【００３５】
故障情報ファイル格納部１５は、故障状態選択手段１４で選択された故障状態情報を格納する機能を有している。
【００３６】
図３の表は、図２に示す２５６パターンの故障状態情報それぞれに対応する出力先を示す出力先情報の構成を示している。ここで出力先とは、系統表示情報出力手段１３から出力される系統表示情報を出力可能な装置であって、第１〜第８系統情報用表示部３１〜３４、４１〜４４、指令室用予備表示装置３５、および訓練室用予備表示装置４５が含まれている。
【００３７】
各出力先を特定するために、第１〜第８系統情報用表示部３１〜３４、４１〜４４、指令室用予備表示装置３５、および訓練室用予備表示装置４５それぞれには、ネットワークＩＰアドレスが登録されている。例えば第１系統情報用表示部３１には、「１９２．１６８．０．３１」というネットワークＩＰアドレスが登録されている。ここで、ネットワークＩＰアドレスとは、ＴＣＰ／ＩＰ伝送プロトコルを用いたネットワークにおいて、伝送パケットを送受信する機器を判別するための番号である。以下、ＩＰアドレスと称する。スイッチングシナリオ設定ファイル格納部１９には、図３に示す出力先情報が格納されている。
【００３８】
選択された故障パターン番号が「０」のときは、全て正常であるため、出力先は、第１〜第８系統情報用表示部３１〜３４、４１〜４４となる。故障パターン番号が「１」のときは、第１系統情報用表示部３１が故障しているため、第１系統情報用表示部３１に代えて、例えば指令室用予備表示装置３５に出力するように設定されている。
【００３９】
故障パターン番号が「２５５」のときは、第１〜第８系統情報用表示部３１〜３４、４１〜４４全てが故障している。このときは、例えば、第１〜第４系統情報用表示部３１〜３４に表示していた系統表示情報は、指令室用予備表示装置３５で表示して、第５〜第８系統情報用表示部４１〜４４に表示していた系統表示情報は、訓練室用予備表示装置４５で表示するとよい。
【００４０】
スイッチングシナリオ設定ファイル格納部１９に格納された出力先情報は、スイッチングシナリオ作成手段１８によって、書き換えることが可能である。出力先情報の変更内容は、オペレータによって入力装置１７を介して入力される。この入力内容に基づいて、スイッチングシナリオ作成手段１８は、出力先情報を作成し、スイッチングシナリオ設定ファイル格納部１９に格納する。ここで入力装置１７は、監視制御用計算機１に数値情報が入力可能なキーボードなどである。
【００４１】
続いて、本実施形態の電力系統監視システムの表示機能の一部が故障したときの作用について説明する。
【００４２】
先ず、複数の故障パターンからなる故障状態情報を作成し、故障パターンファイル格納部１６に格納する。本実施形態では、第１〜第８系統情報用表示部３１〜３４、４１〜４４のうち少なくとも１つが故障する全ての故障パターンを作成する。ここでは、８個の表示部の故障パターンを２５６通り規定する。
【００４３】
次に、スイッチングシナリオ作成手段１８は、入力装置１７からオペレータなどによって入力された情報に基づいて、スイッチングシナリオ設定ファイル格納部１９に出力先の情報、例えば、第１〜第８系統情報用表示部３１〜３４、４１〜４４それぞれのＩＰアドレスなどを格納する。これらの出力先のＩＰアドレスなどの情報を、２５６通りの故障パターンそれぞれに当てはめて、図３の出力先情報を作成し、スイッチングシナリオ設定ファイル格納部１９に格納する。
【００４４】
第１〜第８系統情報用表示部３１〜３４、４１〜４４のうち少なくとも１つが故障したときに、監視制御用計算機１は、この故障かを検知して、どの表示部が故障しているかを特定する。この後に、故障した表示部を特定した情報に基づいて、故障パターンファイル格納部１６に格納された故障状態情報からパターンマッチングにより故障パターンを選択する。
【００４５】
監視制御用計算機１は、選択した故障状態情報に基づいて、出力先情報を取得する。取得した出力先情報に基づいて、系統情報の出力先をＩＰアドレスで指定する。次に、故障した表示部が表示していた系統表示情報を、指定した系統情報出力先に出力する。
【００４６】
例えば、監視制御用計算機１は、第１系統情報用表示部３１が故障したときに、この故障を検知して、第１系統情報用表示部３１が故障していることを特定する。次に、故障状態情報から故障パターン番号を選択する。この場合、故障パターン番号は「１」である。
【００４７】
故障パターン番号「１」のときの出力先情報は、第１系統情報用表示部３１が表示していた系統表示情報は指令室用予備表示装置３５で表示できるようにＩＰアドレスを指定する。第２〜第８系統情報用表示部３２〜３４、４１〜４４は、そのまま所定の系統表示情報を表示するようにＩＰアドレスを指定する。
【００４８】
これにより、第１系統情報用表示部３１が故障したときに、代替となる表示部、すなわち指令室用予備表示装置３５で表示することが可能になる。
【００４９】
なお、故障した第１系統情報用表示部３１が復旧するまでに時間を要す場合には、オペレータは、電力系統が安定した状態まで指令室３内で監視して、所定のタイミングで訓練室４に移動して、第５〜第８系統情報用表示部４１〜４４で継続して監視するとよい。
【００５０】
以上の説明からわかるように、本実施形態によれば、監視制御用計算機１からの系統表示情報を、指令室３内に配置された少なくとも１つの予備表示装置、例えば指令室用予備表示装置３５に出力可能になる。このため、指令室用系統監視盤３０が故障しても、継続して電力系統監視システムを運用すること、すなわち電力系統を監視し続けることが可能となる。
【００５１】
また、指令室用系統監視盤３０が故障した場合のほかに、指令室用系統監視盤３０を新規更新する場合などにおいても、システムの移行期間中に予備表示装置で監視を行うことができるため、冗長化された電力系統の監視が実現でき、信頼性の高い運用が可能となる。
【００５２】
［第２の実施形態］
本発明に係る電力系統監視システムの第２の実施形態について、図４および図５を用いて説明する。図４は、本実施形態の電力系統監視システムの構成を示すブロック図である。図５は、図４の携帯通信用端末２１へ送信するための故障時連絡先情報の構成図である。なお、本実施形態は、第１の実施形態の変形例であって、第１の実施形態と同一部分または類似部分には、同一符号を付して、重複説明を省略する。
【００５３】
本実施形態の電力系統監視システムは、図４に示すように、故障時連絡先情報が格納された故障時連絡先設定ファイル格納部２０を有する。さらに、当該システムの故障状態選択手段１４は、故障時連絡先情報に基づいて監視制御用計算機１の外部、例えば携帯通信用端末２１に故障状態を通知する手段が含まれている。その他の構成および作用は、第１の実施形態と同様である。
【００５４】
故障時連絡先情報は、故障状態情報に含まれる各故障パターンそれぞれに対して、電子メールアドレスおよび電文が指令された形式の情報である。図５では、各故障パターンそれぞれに対して、最大Ｎ個の連絡先の電子メールアドレスが設定されている例を示している。故障時連絡先情報は、故障状態の程度によって連絡先や電文の種類を定めている。
【００５５】
例えば、指令室用系統監視盤３０の第１〜第４系統情報用表示部３１〜３４全てが故障した場合には、より上位の管理責任者や設備対応者に連絡され、緊急対応が必要である旨の電文を通知するように設定されている。また、例えば第８系統情報用表示部４４のみが故障した場合は、指令室用系統監視盤３０が正常に作動しているため、故障対応の緊急度は低い。このような場合には、修理担当者に修理対応依頼などが記載された電文を送るだけでもよい。
【００５６】
本実施形態では、第１〜第８系統情報用表示部３１〜３４、４１〜４４の少なくとも１つが故障したときに、第１の実施形態と同様に、故障状態選択手段１４で故障パターンを選択する。次に、選択された故障パターン番号に対応する連絡先および故障パターンに応じた電文を故障時連絡先設定ファイル格納部２０に格納されている故障時連絡先情報から取得する。取得した連絡先および電文を自動でメール送信する。
【００５７】
本実施形態によれば、第１の実施形態の効果に加え、指令室用系統監視盤３０の故障を関係各所にリアルタイムに通知することが可能となる。これにより、系統監視盤の故障の修理、復旧を速やかに行うことが可能となる。
【００５８】
［第３の実施形態］
本発明に係る電力系統監視システムの第３の実施形態について、図６を用いて説明する。図６は、本実施形態の電力系統監視システムの構成を示すブロック図である。なお、本実施形態は、第１の実施形態の変形例であって、第１の実施形態と同一部分または類似部分には、同一符号を付して、重複説明を省略する。
【００５９】
本実施形態の電力系統監視システムは、第１の実施形態の構成に加えて、図６に示すように、監視制御用計算機１とＬＡＮ８０を介さずに通信可能に接続された画像取込装置７０を有する。さらに、画像取込装置７０とＬＡＮ８０を介して接続された指令室用紙出力装置（指令室用プリンタ）３９および訓練室用紙出力装置（訓練室用プリンタ）４９を有する。
【００６０】
画像取込装置７０は、画像イメージ情報保存手段７１と、補助記憶部７２と、画像イメージ情報プリント手段７３を有する。
【００６１】
画像イメージ情報保存手段７１は、系統表示情報出力手段１３から出力される系統表示情報をバッファリングする機能を有する。また、画像イメージ情報保存手段７１は、所定の時間間隔でバッファリングした系統表示情報を、表示画像ファイルに変換して補助記憶部７２に保存する機能を有する。
【００６２】
画像イメージ情報プリント手段７３は、指令室用プリンタ３９にＬＡＮ８０を経由して印刷要求指令を送信する。印刷要求を受けた指令室用プリンタ３９は、系統表示情報の表示画像ファイルの画像イメージを印刷する。訓練室用プリンタ４９についても同様に印刷することができる。
【００６３】
本実施形態によれば、補助記憶部７２に保存された画像をプリンタ出力することで、第１の実施形態と同様の効果を得ることが可能になる。
【００６４】
［第４の実施形態］
本発明に係る電力系統監視システムの第４の実施形態について、図７を用いて説明する。図７は、本実施形態の電力系統監視システムの構成を示すブロック図である。なお、本実施形態は、第１の実施形態の変形例であって、第１の実施形態と同一部分または類似部分には、同一符号を付して、重複説明を省略する。
【００６５】
本実施形態の電力系統監視システムは、第１の実施形態、第２の実施形態、および第３の実施形態それぞれの特徴を有するものである。
【００６６】
本実施形態によれば、補助記憶部７２に保存された表示画像ファイルを画像イメージ情報出力手段７４等によって時系列的に表示することによって、指令室用系統監視盤３０が故障したときの状況を過去に遡って系統表示情報を再現表示することが可能となる。
【００６７】
例えば、電力系統内で系統事故が発生した前後に指令室用系統監視盤３０が故障した場合に、当該系統事故の状態が指令室用系統監視盤３０で表示されないようなことが想定される。この場合、本実施形態によれば、系統事故発生前後にバッファリングされた系統表示情報を順次出力することで、系統事故について状況をオペレータが把握することができる。このため、操作する系統監視盤を指令室用系統監視盤３０からバックアップ用の訓練室用系統監視盤４０に切り替えを容易に行うことが可能になる。
【００６８】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００６９】
例えば、第１の実施形態の特徴、第２の実施形態の特徴、および第３の実施形態の特徴のうち、いずれか２つを組み合わせてもよい。
【００７０】
また、第３および第４の実施形態では、画像取込装置７０は、監視制御用計算機１とＬＡＮ８０を介さずに接続されているが、これに限らない。例えば、指令室３内に配置されて、ＬＡＮ８０を介して監視制御用計算機１と通信可能に接続してもよい。
【符号の説明】
【００７１】
１…監視制御用計算機、３…指令室、４…訓練室、１１…系統情報入力手段、１２…系統表示情報作成手段、１３…系統表示情報出力手段、１４…故障状態選択手段、１５…故障情報ファイル格納部、１６…故障パターンファイル格納部、１７…入力装置、１８…スイッチングシナリオ作成手段、１９…スイッチングシナリオ設定ファイル格納部、２０…故障時連絡先設定ファイル格納部、２１…携帯通信用端末、３０…指令室用系統監視盤、３１…第１系統情報用表示部、３２…第２系統情報用表示部、３３…第３系統情報用表示部、３４…第４系統情報用表示部、３５…指令室用予備表示装置、３７…指令室用コンソール、３９…指令室用紙出力装置（指令室用プリンタ）、４０…訓練室用系統監視盤、４１…第５系統情報用表示部、４２…第６系統情報用表示部、４３…第７系統情報用表示部、４４…第８系統情報用表示部、４５…訓練室用予備表示装置、４７…訓練室用コンソール、４９…訓練室用紙出力装置（訓練室用プリンタ）、７０…画像取込装置、７１…画像イメージ情報保存手段、７２…補助記憶部、７３…画像イメージ情報プリント手段、７４…画像イメージ情報出力手段、８０…ローカルエリアネットワーク（ＬＡＮ）、８１…情報伝送装置
【図１】
2010220441.tif 000003
【図２】
2010220441.tif 000004
【図３】
2010220441.tif 000005
【図４】
2010220441.tif 000006
【図５】
2010220441.tif 000007
【図６】
2010220441.tif 000008
【図７】
2010220441.tif 000009